(57)【要約】【課題】ＣＤ管などを、手間をかけずに簡単に配管することができる中空材、中空材ユニット、中空材ユニットにおける配管方法を提供することである。【解決手段】中空材１は、球形またはカプセル形の中空材本体の上側球面部に、外周の一部を含んだ平面扇形または、外周の一部を含んだ平面弓形に切り取れる切欠用スリット６、７または切欠用の印が設けられた構成である。【選択図】  図１
2004250992.tif 000002
【特許請求の範囲】
【請求項１】
球形またはカプセル形の中空材本体の上側球面部に、外周の一部を含んだ平面扇形または、外周の一部を含んだ平面弓形に切り取れる切欠用スリットまたは切欠用の印が設けられたことを特徴とする中空材。
【請求項２】
球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結されてなることを特徴とする中空材ユニット。
【請求項３】
球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結されてなる中空材ユニットを、梁間に設置したプレキャストコンクリート板上またはスラブ型枠内に敷き並べた後、前記中空材の上側球面部に外周の一部を含んだ平面扇形の切欠部を向き合った状態で形成し、これらの切欠部にわたって配管することを特徴とする中空材ユニットにおける配管方法。
【請求項４】
球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結されてなる中空材ユニットを、梁間に設置したプレキャストコンクリート板上またはスラブ型枠内に敷き並べた後、前記中空材ユニットの斜め方向に配管する配管路を、上下および斜め方向に隣接する中空材の上側球面部を平面弓形に切り取って形成し、これらの配管路に配管をすることを特徴とする中空材ユニットにおける配管方法。
【発明の詳細な説明】
【０００１】
【発明の属する技術分野】
本発明は中空材、中空材ユニット、中空材ユニットにおける配管方法に関するものである。
【０００２】
【従来の技術】
従来の２００ｍｍ程度で配設した中空材に対しては、その中空部を高めるために、中空材間の距離を２５〜３５ｍｍ程度まで小さくできていた。特開平９−４１５３７に示されるように、平面円形の中空材を配置すれば、配管経路の形成は容易になるが、中空材が狭い間隔で配設された場合は、ＣＤ管を直角に折り曲げることは困難であった。またＣＤ管を斜めに配管する場合には、その部分の中空材を全て撤去する必要があった。
【０００３】
【特許文献１】
特開平９−４１５３７（図１）
【０００４】
【発明が解決しようとする課題】
しかし、上記のように中空材を全て撤去するのは、本来のスラブの軽量化に反するものであり、中空材の撤去は部分的であることが望ましかった。そのため所定サイズのドリルで中空材に横向きで開口してもよいが、中空材が密に配設されているので横向き開口のドリルを配置できるスペースがなかった。
【０００５】
本発明は上記のような問題に鑑みてなされたものであり、その目的は、ＣＤ管などを、手間をかけずに簡単に配管することができる中空材、中空材ユニット、中空材ユニットにおける配管方法を提供することである。
【０００６】
【課題を解決するための手段】
以上の課題を解決するための中空材は、球形またはカプセル形の中空材本体の上側球面部に、外周の一部を含んだ平面扇形または、外周の一部を含んだ平面弓形に切り取れる切欠用スリットまたは切欠用の印が設けられた構成である。
【０００７】
上側球面部に平面扇形または平面弓形の切欠部が簡単に形成できる中空材を提供することができる。
【０００８】
また中空材ユニットは、球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結された構成である。
【０００９】
山形状の切欠用スリットと底部切欠用スリットとで中空材の上部が簡単に切り取れるので、ＣＤ管などが簡単に配管できる。ＣＤ管などを配管する箇所に切欠部が簡単に形成できる。
【００１０】
また中空材ユニットにおける配管方法は、球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結されてなる中空材ユニットを、梁間に設置したプレキャストコンクリート板上またはスラブ型枠内に敷き並べた後、前記中空材の上側球面部に平面扇形の切欠部を向き合った状態で形成し、これらの切欠部にわたって配管する構成である。
【００１１】
ＣＤ管などは中空材の間に配管されるが、ＣＤ管の配管経路を変更する場合には、ＣＤ管を直角ではなく、わずかに折り曲げただけで、所定の中空材間から隣接した中空材間に変更することができる。
【００１２】
また球形またはカプセル形の中空材本体の上側球面部に、外周の一部を含んだ平面扇形または、外周の一部を含んだ平面弓形に切り取れる切欠用スリットまたは切欠用の印が設けられた中空材が、縦横に適宜間隔ごとに配設されて繋ぎ材で連結されてなる中空材ユニットを、梁間に設置したプレキャストコンクリート板上またはスラブ型枠内に敷き並べた後、前記中空材ユニットの斜め方向に配管する配管路を、上下および斜め方向に隣接する中空材の上側球面部を平面弓形に切り取って形成し、これらの配管路に配管をする構成である。
【００１３】
ＣＤ管などは中空材の間に配管されるが、ＣＤ管を斜め方向、例えば繋ぎ材の縦筋または横筋に対して４５度に配管する場合は、隣接した中空材における同じ方向の底部切欠用スリットで区画部の外側に形成した切欠部を利用して配管することができる。
【００１４】
【発明の実施の形態】
以下、本発明の中空材、中空材ユニットおよび中空材ユニットにおける配管方法の実施の形態を図面に基づいて説明する。はじめに中空材について説明し、次に、この中空材からなる中空材ユニットについて説明し、最後に、この中空材ユニットにおける配管方法について説明するが、各実施の形態において同じ構成は同じ符号を付して説明し、異なった構成にのみ異なった符号を付して説明する。
【００１５】
中空材１は、図１に示すように、上部中空材２と下部中空材３とが嵌合されたカプセル形であり、上部中空材２の球面部における４つの区画部４、すなわち平面視において円の中心で直角に交差した線５で区画された各区画部４に、外周の一部を含んで平面扇形に切り取れる山形切欠用スリット６と、外周の一部を含んで平面弓形に切り取れる底部切欠用スリット７とが形成されている。
【００１６】
したがって、図２および図３に示すように、上記の山形切欠用スリット６で球面部に、角部が向き合った平面扇形の切欠部８を形成することができる。また、図３は上記の底部切欠用スリット７により球面部に、平面弓形の切欠部９を形成したものである。この山形切欠用スリット６と底部切欠用スリット７とにより球面部に、平面扇形および平面弓形の切欠部８、９を簡単に形成することができる。
【００１７】
図４は、上記の中空材１を使用した中空材ユニット１０であり、縦横に適宜間隔ごとに設置された中空材１の上部が繋ぎ材１１で連結され、下部が突起１２で連結されたものである。
【００１８】
この繋ぎ材１１は、縦筋１３ａと横筋１３ｂとが格子状に溶接された溶接金網であり、この溶接金網の交差部１４が上部中空材２に埋設されて４つの区画部４が形成されている。
【００１９】
この区画部４には、図５に示すように、前記と同じ山形切欠用スリット６が、繋ぎ材１１の縦筋１３ａまたは横筋１３ｂ方向に沿って形成され、この山形切欠用スリット６の底部には、これらを結ぶ底部切欠用スリット７が形成されている。したがって、これらの山形切欠用スリット６と底部切欠用スリット７とによって、各区画部４には平面扇形または平面弓形の切欠部８、９が形成できるようになっている。
【００２０】
図７は区画部４に、角部が向き合った状態で形成された平面扇形の切欠部８であり、この切欠部８間の薄い壁１５に孔１６を開けるとＣＤ管１７が簡単に配管できるようになる。
【００２１】
一方、図８は底部切欠用スリット７を利用して、区画部４の外側に平面扇形の切欠部９を形成したものであり、この切欠部９によりＣＤ管１７を斜めに配管することができる。
【００２２】
また図９は第１の実施の形態の中空材ユニットにおける配管方法を示したものである。この配管方法は上記の中空材ユニット１０を使用したスラブにおいて、ＣＤ管１７の配管経路を所定の中空材間から隣接した中空材間に変えるものである。
【００２３】
この配管経路を変えるには、所定の中空材１の対角方向の区画部４に、山形切欠用スリット６で平面扇形の切欠部８を形成する。そして、この切欠部８間の壁１５に孔１６を開け、この孔１６に、斜めに折り曲げたＣＤ管１７を貫通させて、このＣＤ管１７の配管経路を所定の中空材間から隣接した中空材間に変えるものである。これによってＣＤ管１７を直角に折り曲げなくても配管できるようになる。
【００２４】
また図１０は第２の実施の形態の中空材ユニットにおける配管方法を示したものである。この配管方法は、中空材ユニット１０を斜めに横切ってＣＤ管１７を配管するものである。
【００２５】
このように斜めの配管を行うには、隣接した中空材１における底部切欠用スリット７で区画部４の外側を切り取って、外周の一部を含んだ平面弓形の切欠部８を形成する。
【００２６】
この切欠部８により、繋ぎ材１１の横筋１３ｂに対して４５度の配管経路１８が形成される。そしてこの配管経路１８にＣＤ管１７を配管すると、中空材ユニット１０を斜めに横切ってＣＤ管１７が配管される。したがって、ＣＤ管１７を何度も折り曲げずに、最短距離で配管することができる。この場合は、第１の実施の形態の配管方法のように、球面部に孔１６を開けることなく、平面弓形の切欠部９を利用してＣＤ管１７を配管することができる。
【００２７】
また上記の中空材、中空材ユニットおよび中空材ユニットにおける配管方法における実施の形態においては、中空材がカプセル形であったが、これに限らず、球形または扁平な球形であってもよい。
【００２８】
さらに、上記の実施の形態においては、山形切欠用スリット６と底部切欠用スリット７によって球面部に平面扇形または平面弓形の切欠部８、９を形成していたが、上記の山形切欠用スリット６と底部切欠用スリット７とに代えて、外周の一部を含んだ平面扇形または平面弓形の切欠部６、７を形成できる印、すなわち山形切欠用ラインと底部切欠用ラインとを設けることもできる。そして、これを利用して球面部を切り取ると平面扇形または平面弓形の切欠部８、９を形成することができる。
【００２９】
【発明の効果】
上側球面部に平面扇形または平面弓形の切欠部を簡単に形成できる中空材を提供することができる。
【００３０】
中空率の低減を最小に押さえつつ、ＣＤ管などを、手間をかけずに簡単に配管できる中空材ユニットを提供することができる。また中空材ユニットにおける中空材の切欠用スリットを利用して、ＣＤ管などを配管できる切欠部が簡単に形成できる。
【００３１】
ＣＤ管を何度も折り曲げることなく、最短距離で配管することができる。またＣＤ管をわずかに折り曲げただけで、その配管経路を変えることもできる。
【図面の簡単な説明】
【図１】中空材であり、（１）は正面図、（２）は同平面図である。
【図２】（１）は区画部に平面扇形の切欠部を設けた中空材の平面図、（２）は（１）の側面図である。
【図３】（１）は区画部に平面弓形の切欠部を設けた中空材の平面図、（２）は（１）の側面図である。
【図４】中空材ユニットの平面図である。
【図５】中空材ユニットにおける中空材の平面図である。
【図６】中空材ユニットの側面図である。
【図７】（１）は区画部に平面扇形の切欠部を設けた中空材の平面図、（２）は（１）の側面図である。
【図８】（１）は区画部に平面弓形の切欠部を設けた中空材の平面図、（２）は（１）の側面図である。
【図９】第１の実施の形態の中空材ユニットにおける配管方法を示したものであり、（１）は中空材に設けた平面扇形の切欠部にＣＤ管を配管した平面図、（２）は（１）の側面図である。
【図１０】第２の実施の形態の中空材ユニットにおける配管方法を示したものであり、（１）は平面弓形の切欠部で形成した配管経路にＣＤ管を配管した平面図、（２）は（１）の側面図である。
【符号の説明】
１  中空材
２  上部中空材
３  下部中空材
４  区画部
５  線
６  山形切欠用スリット
７  底部切欠用スリット
８  平面扇形の切欠部
９  平面弓形の切欠部
１０  中空材ユニット
１１  繋ぎ材
１２  突起
１３ａ  縦筋
１３ｂ  横筋
１４  交差部
１５  壁
１６  孔
１７  ＣＤ管
１８  配管経路
【図１】
2004250992.tif 000003
【図２】
2004250992.tif 000004
【図３】
2004250992.tif 000005
【図４】
2004250992.tif 000006
【図５】
2004250992.tif 000007
【図６】
2004250992.tif 000008
【図７】
2004250992.tif 000009
【図８】
2004250992.tif 000010
【図９】
2004250992.tif 000011
【図１０】
2004250992.tif 000012